(57)【特許請求の範囲】
【請求項１】
パイロット信号を発生するパイロット信号発生手段と、前記パイロット信号と送信信号とを増幅する送信信号増幅手段と、前記送信信号増幅手段からの出力信号を分配するカプラと、前記出力信号から前記パイロット信号を検出し、検波信号を出力する検波手段と、前記検波信号に基づいて、前記送信信号増幅手段の相互変調歪特性を制御する送信信号制御手段と、前記出力信号から前記パイロット信号を除去し出力する第１フィルタとを具備するフィードフォワード型の送信増幅器において、
前記パイロット信号発生手段は、異なる周波数を有するパイロット信号を出力し、かつ、前記パイロット信号の周波数を、前記検波手段の特性に基づいて、前記パイロット信号に干渉する他のパイロット信号の検出レベルと前記相互変調歪特性の障害の有無を判定するための相互変調障害閾値との差が２０ｄＢ以上となるような間隔で、変化させることを特徴とする送信増幅器。
【請求項２】
請求項１に記載の送信増幅器において、
前記パイロット信号発生手段は、前記送信増幅器が実装される位置を示す実装位置情報に基づいて、前記パイロット信号の周波数を決定し、
前記検波手段は、
前記パイロット信号を検出し、この検波信号を出力するフィルタ検波器と、
前記実装位置情報に基づき前記フィルタ検波器を制御するフィルタ制御部と、
前記検波信号により、相互変調歪特性の障害を検出する判定部と、
を備えたことを特徴とする送信増幅器。
【請求項３】
請求項２に記載の送信増幅器において、
前記フィルタ検波器は、
異なる中心周波数を有する複数の第２フィルタと、
前記フィルタ制御部からの制御信号に基づいて前記第２フィルタを選択する切替器と、
前記第２フィルタからの出力信号から前記パイロット信号を検出し、この検波信号を出力する検波器と、
を備えたことを特徴とする送信増幅器。
【請求項４】
請求項１乃至３のいずれか１項に記載の送信増幅器を複数備えたことを特徴とする送信増幅装置。
【発明の詳細な説明】
【０００１】
【発明の属する技術分野】
本発明は、送信増幅器に関し、特に、パイロット信号を使用して、フィードフォワード制御を行う送信増幅器に関する。
【０００２】
【従来の技術】
この種の送信増幅器においては、主信号以外にパイロット信号を用意し、このパイロット信号を制御および検出することにより、所望の電気特性を満足するか否か、また電気特性に障害があるか否かの判断が行われる。
【０００３】
従来の送信増幅器３００は、図５に示すように、パイロット信号発生部３１と、送信信号増幅部３６と、カプラ３７と、検波部３１０と、送信信号制御部３１１と、フィルタ３１３とにより構成される。
パイロット信号発生部３１は、制御部３３と発振器３４とを備える。制御部３３は、メモリ部（図示なし）にあらかじめ記憶されている周波数指定データＳ３３を出力する。発振器３４は、電圧制御発振器を備えたＰＬＬ（Ｐｈａｓｅ−Ｌｏｃｋｅｄ  Ｌｏｏｐ）回路により構成され、周波数指定データＳ３３で指定された周波数、規定出力のパイロット信号Ｓ３４を出力する。
【０００４】
また、フィードフォワード回路３５は、送信信号増幅部３６と、カプラ３７と、検波部３１０と、送信信号制御部３１１と、フィルタ３１３とを備え、送信増幅器３００の相互変調歪特性を改善する。
フィードフォワード回路については、例えば、特開２００１−１６８６６６号公報に記載されている。
送信信号増幅部３６は、パイロット信号発生部３１から出力されたパイロット信号Ｓ３４および送信入力ポート３１４から入力された送信信号Ｓ３６を増幅する。カプラ３７は、送信信号増幅部３６により増幅された出力信号を検波部３１０側とフィルタ３１３側とに分配する。検波部３１０は、カプラ３７により分配された出力信号Ｓ３７を検波することにより、検波信号Ｓ３５を出力する。送信信号制御部３１１は、検波部３１０からの検波信号Ｓ３５に基づいて、送信信号増幅部３６の相互変調歪み（ｉｎｔｅｒｍｏｄｕｌａｔｉｏｎ：ＩＭ）特性を制御する。フィルタ３１３は、カプラ３７により分配された出力信号Ｓ３８のパイロット信号を除去し、その出力信号Ｓ３１０を送信出力ポート３１５に出力する。
【０００５】
また、検波部３１０は、検波器３８と判定部３１２とを備える。
検波器３８は、カプラ３７により分配された出力信号Ｓ３７を検波することにより、検波信号Ｓ３５を出力する。判定部３１２は、検波器３８から出力された検波信号Ｓ３５を、あらかじめ設定されたパイロット信号のＩＭ障害閾値と比較することにより、ＩＭ特性の障害の有無を判断する。
送信増幅器３００のパイロット信号Ｓ３４の周波数は、送信信号Ｓ３６で使用される周波数帯域の外側に設定され、フィードフォワード制御が行われる。例えば、送信信号Ｓ３６の周波数帯域が２１２０ＭＨｚ〜２１４０ＭＨｚである場合、パイロット信号Ｓ３４の周波数は２１５０ＭＨｚに設定される。
送信増幅器３００のＩＭ特性の障害を検出する判定部３１２おいて、パイロット信号のＩＭ障害閾値は、ＩＭ特性が正常である場合のパイロット信号Ｓ３４の検出レベルに対して、例えば２０ｄＢ大きい値に設定される。正常より２０ｄＢ大きいパイロット信号を検出することにより、ＩＭ特性の劣化を判断する。
【０００６】
次に、複数の送信増幅器３００を用いて送信増幅装置４００を構成した場合について説明する。
送信増幅装置４００は、図６に示すように、図５に示された送信増幅器３００を３台実装した構成である。以下、送信増幅器３００を識別するため、送信増幅器３００−Ａ、送信増幅器３００−Ｂ、および送信増幅器３００−Ｃと呼ぶ。
送信増幅器３００−Ａのパイロット信号発生部３１Ａからパイロット信号Ｓ３４Ａが送信信号増幅部３６Ａに出力されることにより、フィードフォワード制御が行われる。また、送信増幅器３００−Ｂのパイロット信号発生部３１Ｂからパイロット信号Ｓ３４Ｂが送信信号増幅部３６Ｂに出力されることにより、フィードフォワード制御が行われる。また、送信増幅器３００−Ｃのパイロット信号発生部３１Ｃからパイロット信号Ｓ３４Ｃが送信信号増幅部３６Ｃに出力されることにより、フィードフォワード制御が行われる。
ここで、パイロット信号Ｓ３４Ａ、Ｓ３４Ｂ、およびＳ３４Ｃは、同一の周波数、例えば２１５０ＭＨｚを有する。
【０００７】
【発明が解決しようとする課題】
しかし、従来の技術には、次のような問題があった。
送信増幅器３００−Ａ、３００−Ｂ、３００−Ｃが並べて配置された送信増幅装置４００において、各送信増幅器のパイロット信号発生部からパイロット信号Ｓ３４Ａ、Ｓ３４Ｂ、およびＳ３４Ｃが出力された場合に、自己パイロット信号が他の送信増幅器のパイロット信号の漏洩による干渉を受ける。
例えば、送信増幅器３００−Ａには、送信増幅器３００−Ｂのパイロット信号Ｓ３４Ｂまたは送信増幅器３００−Ｃのパイロット信号Ｓ３４Ｃが干渉する。
【０００８】
さらに、パイロット信号Ｓ３４Ａ、Ｓ３４Ｂ、Ｓ３４Ｃの周波数が同一であるため、送信増幅器３００−Ａの検波部３１０Ａの検波器にパイロット信号Ｓ３４Ｂまたはパイロット信号Ｓ３４Ｃがパイロット信号のＩＭ障害閾値と同じ信号レベルで干渉する。この場合、干渉したパイロット信号レベルは、ＩＭ特性が正常である場合のパイロット信号Ｓ３４Ａの信号レベルよりも大きくなるため、検波器は干渉したパイロット信号の信号レベルを検波する。
フィードフォワード制御により、パイロット信号の検波レベルは最小に制御される。この場合、干渉したパイロット信号が検波され、誤った制御がされることにより、電気特性が劣化する。
また、干渉したパイロット信号の信号レベルが、あらかじめ設定されたパイロット信号のＩＭ障害閾値より大きい場合、送信増幅器のＩＭ特性の障害が誤検出される。
【０００９】
したがって、本発明は、前述した従来技術の問題点や課題を解決するためになされたものであり、その目的は、他の送信増幅器のパイロット信号の干渉による送信増幅器の相互変調歪特性の劣化および誤動作のない送信増幅器を提供することである。
【００１０】
【課題を解決するための手段】
このような目的を達成するために本発明は、パイロット信号を発生するパイロット信号発生手段と、パイロット信号と送信信号とを増幅する送信信号増幅手段と、送信信号増幅手段からの出力信号を分配するカプラと、出力信号からパイロット信号を検出し、検波信号を出力する検波手段と、検波信号に基づいて、送信信号増幅手段の相互変調歪特性を制御する送信信号制御手段と、出力信号からパイロット信号を除去し出力する第１フィルタとを具備するフィードフォワード型の送信増幅器において、パイロット信号発生手段は、異なる周波数を有するパイロット信号を出力し、かつ、パイロット信号の周波数を、検波手段の特性に基づいて、パイロット信号に干渉する他のパイロット信号の検出レベルと相互変調歪特性の障害の有無を判定するための相互変調障害閾値との差が２０ｄＢ以上となるような間隔で、変化させることを特徴とする。
本発明によれば、他パイロット信号からの自己パイロット信号への干渉を小さくすることができる。また、他のパイロット信号の周波数から自己パイロット信号の周波数への干渉を小さくすることができる。
【００１１】
さらに、パイロット信号発生手段は、送信増幅器が実装される位置を示す実装位置情報に基づいて、パイロット信号の周波数を決定し、検波手段は、パイロット信号を検出し、この検波信号を出力するフィルタ検波器と、実装位置情報に基づきフィルタ検波器を制御するフィルタ制御部と、検波信号により、相互変調歪特性の障害を検出する判定部とを備えたことを特徴とする。
ここで、実装位置情報とは、送信増幅器が実装される位置を示す情報である。
本発明によれば、実装位置情報に基づいて、パイロット信号を検波することができる。
【００１２】
さらに、フィルタ検波器は、異なる中心周波数を有する複数の第２フィルタと、フィルタ制御部からの制御信号に基づいて第２フィルタを選択する切替器と、第２フィルタからの出力信号からパイロット信号を検出し、この検波信号を出力する検波器とを備えたことを特徴とする。
【００１４】
【発明の実施の形態】
以下に、本発明の実施の形態について図面を参照して詳細に説明する。
なお、実施の形態を説明するための全図において、同一機能を有するものは同一符号を付け、その繰り返しの説明は省略する。
【００１５】
実施の形態１にかかる送信増幅器１００は、図１に示すように、パイロット信号発生部１と、送信信号増幅部６と、カプラ７と、検波部１０と、送信信号制御部１１と、フィルタ（第１フィルタ）１３とを備える。
パイロット信号発生部１は、情報変換部２と、制御部３と、発振器４とを備える。情報変換部２は、外部からの実装位置情報Ｓ１の入力により、メモリ（図示せず）にあらかじめ設定・記憶された実装位置情報Ｓ１に対応した周波数情報Ｓ２を出力する。制御部３は、情報変換部２からの周波数情報Ｓ２に基づいて、周波数指定データＳ３を出力する。発振器４は、例えば電圧制御発振器を備えたＰＬＬ回路により構成され、制御部３からの周波数指定データＳ３により指定された周波数と規定出力とを有するパイロット信号Ｓ４を出力する。
【００１６】
また、フィードフォワード回路５は、送信信号増幅部６と、カプラ７と、検波部１０と、送信信号制御部１１と、フィルタ１３とを備え、送信増幅器１００の相互変調歪み特性を改善する。
送信信号増幅部６は、誤差検出ループおよび歪み除去ループを有し、パイロット信号発生部１から入力されたパイロット信号Ｓ４および送信入力ポート１４から入力された送信信号Ｓ６を増幅する。
カプラ７は、送信信号増幅部６により増幅された出力信号を検波部１０側とフィルタ１３側に分配する。検波部１０は、カプラ７により分配された送信信号Ｓ７を検波することにより検波信号Ｓ５を出力する。送信信号制御部１１は、検波部１０からの検波信号Ｓ５に基づき、検波信号Ｓ５が最小（レベルが零）となるように、送信信号増幅部６のＩＭ特性の改善の制御をする。フィルタ１３は、カプラ７により分配された出力信号Ｓ８のパイロット信号を除去した出力信号Ｓ１０を送信出力ポート１５に出力する。
【００１７】
また、検波部１０は、フィルタ検波器８と、判定部１２と、フィルタ制御部９とを備える。
フィルタ制御部９は、実装位置情報Ｓ１により、フィルタ検波器８を制御するための制御信号Ｓ９を出力する。フィルタ検波部８は、フィルタ制御部９からの制御信号Ｓ９に基づいて、カプラ７により分配された出力信号Ｓ７を検波することにより、検波信号Ｓ５を出力する。判定部１２は、フィルタ検波器８からの検波信号Ｓ５を、あらかじめ設定されたパイロット信号のＩＭ障害閾値と比較することにより、ＩＭ特性の障害の有無を判断する。
【００１８】
次に、フィルタ検波器８について、説明する。
フィルタ検波器８は、図２に示すように、フィルタ（第２フィルタ）８−１と、フィルタ（第２フィルタ）８−２と、フィルタ（第２フィルタ）８−３と、切替器８−４と、検波器８−５とを備える。
フィルタ８−１、フィルタ８−２、フィルタ８−３は、それぞれの中心周波数が異なるフィルタである。切替器８−４は、フィルタ制御部９からの制御信号Ｓ９に基づいて、フィルタ８−１、８−２、８−３の中から接続するフィルタを選択する。検波器８−５は選択されたフィルタの出力信号を検波する。
【００１９】
次に、実施の形態１にかかる送信増幅器１００の動作について、図１、図２を参照して、説明する。
パイロット信号発生部１の情報変換部２に、実装位置情報Ｓ１が入力されると、情報変換部２はメモリ（図示なし）にあらかじめ設定・記憶された周波数情報Ｓ２を読み出し、制御部３に出力する。
ここで、実装位置情報Ｓ１に対して、周波数情報Ｓ２はあらかじめ１対１に対応して設定され、情報変換部２で実装位置情報Ｓ１は周波数情報Ｓ２に変換される。
この周波数情報Ｓ２を受信した制御部３は、周波数情報Ｓ２に応じた周波数指定データＳ３を発振器４に出力する。
この周波数指定データＳ３を受信した発振器４は、この周波数指定データＳ３に基づいて電圧制御発振器を制御することにより、パイロット信号Ｓ４を出力する。
【００２０】
一般的に、送信増幅器のパイロット信号の周波数は、送信信号Ｓ６で使用する周波数帯域より外側に設定され、そのパイロット信号によりフィードフォワード制御が行われる。
例えば、送信信号の周波数帯域が２１２０ＭＨｚ〜２１４０ＭＨｚの場合、パイロット信号Ｓ４の周波数は２１５０ＭＨｚに設定される。
しかし、実施の形態１においては、実装位置情報Ｓ１が入力され、周波数情報Ｓ２が制御部３に入力されることにより２１５０．００１ＭＨｚに設定される。つまり、パイロット信号Ｓ４の周波数が、実装前の周波数から実装後の周波数に移動する。
【００２１】
パイロット信号Ｓ４と送信入力ポート１４からの送信信号Ｓ６とを入力された送信信号増幅部６は、これらの信号を増幅し、カプラ７に出力する。
増幅された送信信号が入力されたカプラ７は、その信号を検波部１０とフィルタ１３とに分配する。
分配された出力信号が入力されたフィルタ検波器８は、パイロット信号Ｓ４の信号レベルを検波信号Ｓ５に変換し、その検波信号Ｓ５を送信信号制御部１１に出力する。
検波信号Ｓ５が入力された送信信号制御部１１は、検波信号Ｓ５が最小（レベルが零）となるように、送信信号増幅部６の制御を、フィードフォワード制御により行う。
【００２２】
次に、送信増幅器１００におけるＩＭ特性の障害の検出について説明する。
一般に、パイロット信号の検出レベルとＩＭ特性には相関があるため、フィルタ検波器８から出力された検波信号Ｓ５は、判定部１２に入力され、ＩＭ特性が障害の場合のパイロット信号の検出レベルの閾値（ＩＭ障害閾値）と比較されることにより、ＩＭ特性の障害が検出される。パイロット信号のＩＭ障害閾値は、ＩＭ特性が劣化したことを検出できる値にあらかじめ設定される。
例えば、パイロット信号のＩＭ障害閾値は、ＩＭ特性が正常である場合のパイロット信号の検出レベルに対して２０ｄＢ大きい値に設定される。この場合、パイロット信号の検出レベルがＩＭ障害閾値を超えた場合に、ＩＭ特性の障害として検出される。
ここで、ＩＭ特性の障害が検出された場合に、アラームの表示をするようにしても良い。さらに、送信増幅器の機能を停止するようにしても良い。
【００２３】
図４に、フィルタ検波器８のパイロット信号に対する検出レベルと周波数間隔の関係を示す。図４によれば、フィルタの中心周波数を送信増幅器１００のパイロット信号周波数とすると、中心周波数に対する周波数間隔が大きくなるにしたがって、信号の検出レベルが小さくなることがわかる。
例えば、中心周波数の検出レベルに対して２ｋＨｚ離れた信号の検出レベルは約３０ｄＢ低い値になる。
【００２４】
以上により、パイロット信号の検出レベルと、ＩＭ障害閾値と、パイロット周波数間隔とには因果関係があることがわかる。よって、ＩＭ特性の障害の有無を判断する場合、最悪自己パイロット信号の検出レベルがＩＭ障害閾値の付近で下回っている場合に、干渉パイロット信号の検出レベルとＩＭ障害閾値との差は２０ｄＢ以上は必要である。例えば、自己パイロット信号の検出レベルがＩＭ障害閾値に対して０．１ｄＢ小さいとすると、干渉パイロット信号の検出レベルは、ＩＭ障害閾値に対して１６ｄＢ小さくなければならない。また、周波数的には干渉パイロット信号の周波数を自己パイロット信号の周波数に対して移動する。例えばフィルタ検波器８では２ｋＨｚ以上離れているのが好ましい。そうすることにより、干渉パイロット信号の周波数から自己パイロット信号の周波数への干渉を小さくすることができる。
【００２５】
次に、実施の形態２にかかる送信増幅装置について説明する。
実施の形態２にかかる送信増幅装置２００は、図３に示すように、図１に示された送信増幅器１００を３台実装した構成である。
以下、送信増幅器１００を識別するため、送信増幅器１００−Ａ、送信増幅器１００−Ｂ、および送信増幅器１００−Ｃと呼ぶ。
次に、実施の形態２の送信増幅装置２００の動作を、図２、図３を参照して、説明する。
送信増幅器１００−Ａのパイロット信号発生部１Ａから、パイロット信号Ｓ４Ａが、送信信号増幅部６Ａに出力されることにより、フィードフォワード制御が行われる。また、送信増幅器１００−Ｂのパイロット信号発生部１Ｂから、パイロット信号Ｓ４Ｂが、送信信号増幅部６Ｂに出力されることにより、フィードフォワード制御が行われる。また、送信増幅器１００−Ｃのパイロット信号発生部１Ｃから、パイロット信号Ｓ４Ｃが、送信信号増幅部６Ｃに出力されることにより、フィードフォワード制御が行われる。
【００２６】
例えば、実装位置情報Ｓ１Ａ、Ｓ１Ｂ、Ｓ１Ｃは、送信増幅装置２００の送信増幅器１００−Ａ、１００−Ｂ、１００−Ｃが実装される位置にあらかじめ複数の実装位置情報ピンを設けておき、実装位置により異なったピンをＧＮＤにしておくことにより、送信増幅器１００−Ａ、１００−Ｂ、１００−Ｃが実装位置を認識する構成とする。
実装位置情報と周波数情報とパイロット信号の周波数と周波数間隔との関係を表１に示す。
【００２７】
【表１】
0003808382.tif 000002
【００２８】
実装位置情報は、実装位置情報ピンＤ１、Ｄ２、Ｄ３により３ビットで表現される。例えば、３台の送信増幅器のパイロット信号周波数は、送信増幅器１００−Ａは２１５０．００１ＭＨｚ、送信増幅器１００−Ｂは２１５０．００３ＭＨｚ、送信増幅器１００−Ｃは２１５０．００５ＭＨｚに設定される。
【００２９】
また、実装位置情報Ｓ１Ａ、Ｓ１Ｂ、Ｓ１Ｃは、各送信増幅器１００−Ａ、１００−Ｂ、および１００−Ｃの検波部１０Ａ、１０Ｂ、および１０Ｃに入力される。その後、各検波部のフィルタ制御部８から制御信号Ｓ９が出力される。
ここで検波部１０Ａ、１０Ｂ、１０Ｃのフィルタ検波部８のフィルタ８−１の中心周波数を２１５０．００１ＭＨｚ、フィルタ８−２の中心周波数を２１５０．００３ＭＨｚ、フィルタ８−３の中心周波数を２１５０．００５ＭＨｚと設定すると、送信増幅器１００−Ａは制御信号によりフィルタ８−１を、送信増幅器１００Ｂは制御信号によりフィルタ８−２を、送信増幅器１００Ｃは制御信号によりフィルタ８−３を選択し、各フィルタ検波器８の検波器８−５でパイロット信号を検出する。
【００３０】
ここで、送信増幅器１００−Ｂのパイロット信号Ｓ４Ｂが、増幅器１００−Ａのパイロット信号Ｓ４Ａに干渉した場合を考える。
送信増幅器１００−Ａのパイロット信号レベルは正常である場合に−８０ｄＢｍであるとすると、判定部１２のパイロット信号障害閾値の設定は−６０ｄＢｍとなる。パイロット信号Ｓ４Ｂの信号レベルが、フィルタ検波器８のフィルタ８−１の入力で−６０ｄＢｍとすると、パイロット信号Ｓ４Ｂの周波数（２１５０．００３ＭＨｚ）は、フィルタ８−１Ａの中心周波数（２１５０．００１ＭＨｚ）からの周波数間隔２ｋＨｚに対する信号減衰量（−３０ｄＢ）があるため−９０ｄＢｍで検出される。このとき、送信増幅器１００−Ａのパイロット信号Ｓ４Ａも同時に検出されるが、正常時の検出レベル−８０ｄＢｍに対してパイロット信号Ｓ４Ｂの検出レベルは１０ｄＢ低いため検波信号Ｓ５Ａは影響をほとんど受けず、ＩＭ特性の障害閾値まで達することがないため、ＩＭ特性の障害の誤検出をすることがない。
【００３１】
以上、本発明者によってなされた発明を実施の形態に基づき具体的に説明したが、本発明は上記実施の形態に限定されるものではなく、その要旨を逸脱しない範囲で種々変更可能であることは言うまでもない。
【００３２】
【発明の効果】
本発明によれば、パイロット信号発生部において、パイロット信号の周波数を、検波手段の特性に基づいて、パイロット信号に干渉する他のパイロット信号の検出レベルと相互変調歪特性の障害の有無を判定するための相互変調障害閾値との差が２０ｄＢ以上となるような間隔で、変化させることにより、各送信増幅器からのパイロット信号の干渉による送信増幅装置の相互変調歪特性の劣化を防止できる。
また、干渉したパイロット信号を検波したことによる誤った制御で電気特性を劣化させることを防止できる。
【図面の簡単な説明】
【図１】  本発明の実施の形態１の送信増幅器の概略構成を示すブロック図である。
【図２】  本発明の実施の形態１の送信増幅器にかかるフィルタ検波器の概略構成を示すブロック図である。
【図３】  本発明の実施の形態２の送信増幅装置の概略構成を示すブロック図である。
【図４】  パイロット信号の検出レベルと周波数間隔の関係を示す図
【図５】  従来の送信増幅器の概略構成を示すブロック図である。
【図６】  従来の送信増幅装置の概略構成を示すブロック図である。
【符号の説明】
１、１Ａ、１Ｂ、１Ｃ…パイロット信号発生部、２…情報変換部、３…制御部、４…発振器、５…フィードフォワード回路、６、６Ａ、６Ｂ、６Ｃ…送信信号増幅部、７、７Ａ、７Ｂ、７Ｃ…カプラ、８…フィルタ検波器、８−１、８−２、８−３…フィルタ、８−４…切替器、８−５…検波器、９…フィルタ制御部、１０、１０Ａ、１０Ｂ、１０Ｃ…検波部、１１、１１Ａ、１１Ｂ、１１Ｃ…送信信号制御部、１２…判定部、１３、１３Ａ、１３Ｂ、１３Ｃ…フィルタ、１４…送信入力ポート、１５…送信出力ポート、３１、３１Ａ、３１Ｂ、３１Ｃ…パイロット信号発生部、３３…制御部、３４…発振器、３５…フィードフォワード回路、３６、３６Ａ、３６Ｂ、３６Ｃ…送信信号増幅部、３７、３７Ａ、３７Ｂ、３７Ｃ…カプラ、３８…検波器、３１０、３１０Ａ、３１０Ｂ、３１０Ｃ…検波部、３１１、３１１Ａ、３１１Ｂ、３１１Ｃ…送信信号制御部、３１２…判定部、３１３…フィルタ、３１４…送信入力ポート、３１５…送信出力ポート、Ｓ１、Ｓ１Ａ、Ｓ１Ｂ、Ｓ１Ｃ…実装位置情報、Ｓ２…周波数情報、Ｓ３…周波数指定データ、Ｓ４、Ｓ４Ａ、Ｓ４Ｂ、Ｓ４Ｃ…パイロット信号、Ｓ５…検波信号、Ｓ６、Ｓ７、Ｓ８…送信信号、Ｓ９…制御信号、Ｓ１０…送信信号、１００、１００−Ａ、１００−Ｂ、１００−Ｃ…送信増幅器、２００…送信増幅装置、３００、３００−Ａ、３００−Ｂ、３００−Ｃ…送信増幅装置、４００…送信増幅装置、Ｓ３３…周波数指定データ、Ｓ３４、Ｓ３４Ａ、Ｓ３４Ｂ、Ｓ３４Ｃ…パイロット信号、Ｓ３５…検波信号、Ｓ３６、Ｓ３７、Ｓ３８…送信信号、Ｓ３１０…送信信号。
【図１】
0003808382.tif 000003
【図２】
0003808382.tif 000004
【図３】
0003808382.tif 000005
【図４】
0003808382.tif 000006
【図５】
0003808382.tif 000007
【図６】
0003808382.tif 000008